(57)【要約】【課題】火災等の危険を回避するとともに調理を安全な範囲で維持することができる加熱装置を提供すること。【解決手段】加熱装置の本体１１に人体検知センサー８を備えることで、本体１近傍に人がいる場合と不在の場合の加熱モードを選択することができて、不在時の空焚き等の不安全減少を回避するとともに、小電力で加熱中にはその加熱電力を維持するので、調理を失敗することを最小限にすることができて、かつ安全を確保することができる加熱装置を提供することとなる。【選択図】図２
2008300182.tif 000002
【特許請求の範囲】
【請求項１】
本体と、前記本体の天面に備えた天板と、前記本体に内蔵されて前記天板に載置された被加熱物を加熱する加熱コイルと、前記加熱コイル上の天板温度を検知する温度センサーと、前記本体に備えられた人体検知センサーと、前記本体に内蔵された制御回路とを備え、前記制御回路に前記人体検知センサーからの不在信号でカウントをスタートし人体を検知するとカウントをリセットするカウント回路と、所定の時間の数値を記憶する記憶回路と、前記カウント回路の数値と前記記憶回路の数値を比較する比較回路と、前記加熱コイルへの出力条件を記憶した条件回路と、前記比較回路の出力により前記加熱コイルへの出力条件を変更する条件変更回路とを備えた構成とした加熱装置。
【請求項２】
加熱コイルへの出力条件を比較回路からの信号により、加熱コイルへの出力条件を設定した条件回路の初期値とするか、条件変更回路で加熱コイルへの出力値の上限を制約するかを判定して、前記加熱コイルへの出力を決定する構成とした請求項１に記載の加熱装置。
【請求項３】
加熱コイルへの出力条件を比較回路からの信号により、加熱コイルへの出力条件を設定した条件回路の初期値とするか、条件変更回路で加熱コイル上の天板温度を検知する温度センサーが検知して前記加熱コイルへの出力値の上限を制約する温度を低い値に変更するかを判定して、前記変更回路の出力に基づき前記加熱コイルへの出力を決定する構成とした請求項１に記載の加熱装置。
【請求項４】
加熱コイルへの出力条件を比較回路からの信号により、加熱コイルへの出力条件を設定した条件回路の初期値とするか、条件変更回路で加熱コイルへの出力を停止するかを判定して、前記加熱コイルへの出力を決定する構成とした請求項１に記載の加熱装置。
【請求項５】
本体と、前記本体の天面に備えた天板と、前記本体に内蔵されて前記天板に載置された被加熱物を加熱する加熱コイルと、前記加熱コイル上の天板温度を検知する温度センサーと、前記本体に備えられた人体検知センサーと、前記本体に内蔵された制御回路とを備え、前記制御回路に人体検知センサーからの不在信号でカウントをスタートし人体を検知するとカウントをリセットするカウント回路と、所定の時間の数値を記憶する記憶回路と、前記カウント回路の数値と記憶回路の数値を比較する比較回路と、前記天面の一部に備えた操作スイッチと、前記比較回路の出力により前記操作スイッチの入力を制限する制限回路とを備えた構成とした加熱装置。
【請求項６】
操作スイッチは天板を介して静電容量を利用したスイッチである請求項５に記載の加熱装置。
【発明の詳細な説明】
【技術分野】
【０００１】
本発明は一般家庭または業務用等で使用される加熱装置に関するものである。
【背景技術】
【０００２】
従来、この種の加熱装置は、加熱装置に備えた人体検知センサーが、人がいないことを検知すると火力を低く設定する構成としていた（例えば、特許文献１参照）。
【特許文献１】特開２００５−２３５６２７号公報
【発明の開示】
【発明が解決しようとする課題】
【０００３】
しかしながら、前記従来の構成では、設定している火力の強弱に関わらず火力を低くして火力を小さくすることで火災等の危険を回避する構成としているが、調理によっては小火力で加熱していることもあり当初から危険ではない火力であり火力設定を変更する必要もない設定であるにも関わらず自動的に変更してしまうといった課題を有していた。また、長時間の煮込み調理等をしている間に、操作スイッチを小動物等が活動することで誤動作させるといった課題を有していた。
【０００４】
本発明は、前記従来の課題を解決するもので、本体の近くに人が不在の状態が続くと、所定の時間の後に高火力での調理に関しては火力を低減するだけでなく、小火力の調理についてはその火力を維持することができ、火災等の危険を回避するとともに調理を安全な範囲で維持することができる加熱装置を提供することを目的とする。
【０００５】
また、本発明は、本体の近くに人が不在の状態が続くと、小動物等が操作スイッチに触れて誤動作しそうになっても、操作スイッチが動作しない構成とすることができ、調理の誤操作や火災等の危険を回避することができる加熱装置を提供することを目的とする。
【課題を解決するための手段】
【０００６】
前記従来の課題を解決するために、本発明の加熱装置は、本体と、前記本体の天面に備えた天板と、前記本体に内蔵されて前記天板に載置された被加熱物を加熱する加熱コイルと、前記加熱コイル上の天板温度を検知する温度センサーと、前記本体に備えられた人体検知センサーと、本体に内蔵された制御回路とを備え、前記制御回路に人体検知センサーからの不在信号でカウントをスタートし人体を検知するとカウントをリセットするカウント回路と、所定の時間の数値を記憶する記憶回路と、前記カウント回路の数値と記憶回路の数値を比較する比較回路と、前記加熱コイルへの出力条件を記憶した条件回路と、前記比較回路の出力により前記加熱コイルへの出力条件を変更する条件変更回路とを備えた構成としたものである。
【０００７】
これによって、人が本体近傍から不在の状態が所定時間以上続くと、加熱コイルの火力を所定の範囲内に限定することで、大火力の場合は危険を回避するために火力を小さくするが、小火力で加熱している場合には、危険を回避できる火力の値以下であれば火力を変更せずに調理をそのまま継続することで調理を継続して調理が無事完了させることが可能になる。
【０００８】
また、本発明の加熱装置は、加熱コイルへの出力条件を比較回路からの信号により、加熱コイルへの出力条件を設定した条件回路の初期値とするか、条件変更回路で加熱コイルへの出力値の上限を制約するかを判定して、前記加熱コイルへの出力を決定する構成としたものである。
【０００９】
これによって、人が本体近傍から不在の状態が所定時間以上続くと、加熱コイルの火力を所定の範囲内に限定することで、大火力の場合は危険を回避するために火力を小さくするが、調理中の火力が所定の値以下であれば、現状の調理を継続することが可能である。
【００１０】
また、本発明の加熱装置は、加熱コイルへの出力条件を比較回路からの信号により、加熱コイルへの出力条件を設定した条件回路の初期値とするか、条件変更回路で加熱コイル上の天板温度を検知する温度センサーが検知して前記加熱コイルへの出力値の上限を制約する温度を低い値に変更するかを判定して、前記変更回路の出力に基づき前記加熱コイルへの出力を決定する構成としたものである。
【００１１】
これによって、人が本体近傍から不在の状態が所定時間以上続くと、加熱コイル上の天板温度を検知する温度センサーが検知して火力を小さくするための設定温度の値を低く変更することで、加熱調理中の火力を維持して調理を続ける一方で、危険回避のために加熱コイル上の天板温度を検知する温度センサーが比較的低い値の温度検知で火力を小さくするので、異常事態が発生した場合には速やかに加熱コイルへの火力を低減して危険を回避することができる。
【００１２】
また、本発明の加熱装置の加熱コイルは、加熱コイルへの出力条件を比較回路からの信号により、加熱コイルへの出力条件を設定した条件回路の初期値とするか、条件変更回路で加熱コイルへの出力を停止するかを判定して、前記加熱コイルへの出力を決定する構成としたものである。
【００１３】
これによって、条件が満たされた場合には加熱コイルへの通電を停止することで、危険回避を確実に実施できる。
【００１４】
また、本発明の加熱装置の加熱コイルは、本体と、前記本体の天面に備えた天板と、前記本体に内蔵されて前記天板に載置された被加熱物を加熱する加熱コイルと、前記加熱コイル上の天板温度を検知する温度センサーと、前記本体前面に備えられた人体検知センサーと、本体に内蔵された制御回路とを備え、前記制御回路に人体検知センサーからの不在信号でカウントをスタートし人体を検知するとカウントをリセットするカウント回路と、所定の時間の数値を記憶する記憶回路と、前記カウント回路の数値と記憶回路の数値を比較する比較回路と、前記天面の一部に備えた操作スイッチと、前記比較回路の出力により前記操作スイッチの入力を制限する制限回路とを備えた構成としたものである。
【００１５】
これによって、本体の近くに人が不在の状態が続くと、小動物等が操作スイッチに触れて誤動作しそうになっても、操作スイッチが動作しない構成とすることができ、調理の誤操作や火災等の危険を回避することができる。
【００１６】
さらに、本発明の加熱装置は、操作スイッチは天板を介して静電容量を利用したスイッチである構成としたものである。
【００１７】
これによって、本体の近くに人が不在の状態が続くと、小動物等が操作スイッチに触れるだけで誤動作しそうになっても、操作スイッチが動作しない構成とすることができ、調理の誤操作や火災等の危険を回避することが可能になる。
【発明の効果】
【００１８】
本発明の加熱装置は、人が本体近傍から不在の状態が所定時間以上続くと、加熱コイルの火力を所定の範囲内に限定することで、大火力の場合は危険を回避するために火力を小さくするが、小火力で加熱している場合には、危険を回避できる火力の値以下であれば火力を変更せずに調理をそのまま継続することで調理を継続して調理が無事完了させることが可能とすることができる。
【発明を実施するための最良の形態】
【００１９】
第１の発明は、本体と、前記本体の天面に備えた天板と、前記本体に内蔵されて前記天板に載置された被加熱物を加熱する加熱コイルと、前記加熱コイル上の天板温度を検知する温度センサーと、前記本体に備えられた人体検知センサーと、前記本体に内蔵された制御回路とを備え、前記制御回路に前記人体検知センサーからの不在信号でカウントをスタートし人体を検知するとカウントをリセットするカウント回路と、所定の時間の数値を記憶する記憶回路と、前記カウント回路の数値と前記記憶回路の数値を比較する比較回路と、前記加熱コイルへの出力条件を記憶した条件回路と、前記比較回路の出力により前記加熱コイルへの出力条件を変更する条件変更回路とを備えた構成とすることにより、人が本体近傍から不在の状態が所定時間以上続くと、加熱コイルの火力を所定の範囲内に限定することで、大火力の場合は危険を回避するために火力を小さくするが、小火力で加熱している場合には、危険を回避できる火力の値以下であれば火力を変更せずに調理をそのまま継続することで調理を継続して調理が無事完了させることができる。
【００２０】
第２の発明は、特に、加熱コイルへの出力条件を比較回路からの信号により、加熱コイルへの出力条件を設定した条件回路の初期値とするか、条件変更回路で加熱コイルへの出力値の上限を制約するかを判定して、前記加熱コイルへの出力を決定する構成とすることで、人が本体近傍から不在の状態が所定時間以上続くと、加熱コイルの火力を所定の範囲内に限定することで、大火力の場合は危険を回避するために火力を小さくするが、調理中の火力が所定の値以下であれば、現状の調理を継続することができる。
【００２１】
第３の発明は、特に、加熱コイルへの出力条件を比較回路からの信号により、加熱コイルへの出力条件を設定した条件回路の初期値とするか、条件変更回路で加熱コイル上の天板温度を検知する温度センサーが検知して前記加熱コイルへの出力値の上限を制約する温度を低い値に変更するかを判定して、前記変更回路の出力に基づき前記加熱コイルへの出力を決定する構成とすることにより、人が本体近傍から不在の状態が所定時間以上続くと、加熱コイル上の天板温度を検知する温度センサーが検知して火力を小さくするための設定温度の値を低く変更することで、加熱調理中の火力を維持して調理を続ける一方で、危険回避のために加熱コイル上の天板温度を検知する温度センサーが比較的低い値の温度検知で火力を小さくするので、異常事態が発生した場合には速やかに加熱コイルへの火力を低減して危険を回避することができる。
【００２２】
第４の発明は、特に、加熱コイルへの出力条件を比較回路からの信号により、加熱コイルへの出力条件を設定した条件回路の初期値とするか、条件変更回路で加熱コイルへの出力を停止するかを判定して、前記加熱コイルへの出力を決定する構成にすることにより、条件が満たされた場合には加熱コイルへの通電を停止することで、危険回避を確実に実施することができる。
【００２３】
第５の発明は、特に、本体と、前記本体の天面に備えた天板と、前記本体に内蔵されて前記天板に載置された被加熱物を加熱する加熱コイルと、前記加熱コイル上の天板温度を検知する温度センサーと、前記本体に備えられた人体検知センサーと、前記本体に内蔵された制御回路とを備え、前記制御回路に人体検知センサーからの不在信号でカウントをスタートし人体を検知するとカウントをリセットするカウント回路と、所定の時間の数値を記憶する記憶回路と、前記カウント回路の数値と記憶回路の数値を比較する比較回路と、前記天面の一部に備えた操作スイッチと、前記比較回路の出力により前記操作スイッチの入力を制限する制限回路とを備えた構成とすることにより、本体の近くに人が不在の状態が続くと、小動物等が操作スイッチに触れて誤動作しそうになっても、操作スイッチが動作しない構成とすることができ、調理の誤操作や火災等の危険を回避することができる。
【００２４】
第６の発明は、特に、操作スイッチは天板を介して静電容量を利用したスイッチで構成にすることにより、本体の近くに人が不在の状態が続くと、小動物等が操作スイッチに触れるだけで誤動作しそうになっても、操作スイッチが動作しない構成とすることができ、調理の誤操作や火災等の危険を回避することができる。
【００２５】
以下、本発明の実施の形態について、図面を参照しながら説明する。なお、この実施の
形態によって本発明が限定されるものではない。
【００２６】
（実施の形態１）
図１は、本発明の実施の形態１における加熱装置の一例として誘導加熱装置の正面図である。図２は、本発明の実施の形態１における誘導加熱装置のブロック図である。図３は、本発明の実施の形態１における誘導加熱装置の操作フローチャートである。
【００２７】
図１において、略直方体の本体１の天面２には結晶化ガラスで形成した厚さ４ｍｍの天板３が着脱できる構成になっている。天板３の下部で本体１内には左右に位置するように加熱コイル４が配置されている。左の加熱コイル４の下方には魚等を焼くグリル５が配置されていて、本体１前面から調理物を出し入れする扉６が備えられている。右の加熱コイル４の下方には加熱コイル４への電力を供給し制御する制御回路７が配置されている。
【００２８】
人体検知センサー８は本体１前面のキッチン天板９の下部に位置している。また、人体検知センサー８は本体１中央に近い前面に位置している。本体１の左半分はグリル５が配置されていて、右半分には制御回路７等が収納されている。人体検知センサー８はこの中間に配置されていることになる。キッチン天板９は床からの高さが約８５ｃｍであり、大人も子供も検知できるので、この位置に取り付けられている。人体検知センサー８の取り付け位置高さは床面からの高さが約６０ｃｍから９０ｃｍの範囲であれば人の腰から胸の位置を検知することができる。小さな子供の場合には頭か胸を検知し大人の場合には腰付近を検知することになる。特に大人が使用することが主であるので、大人が人体検知センサー８の正面に位置すると、幅が約５０ｃｍあるので、本体１の正面からずれて左右の加熱コイル４のどちらかの正面に立って、調理していても人体検知センサー８によって検知することができる。
【００２９】
人体検知センサー８は左右方向には、その赤外線の検知特性から約６０°の角度の範囲を検知することができる。この特性から人が人体検知センサー８の正面にいなくても検知することができる。
【００３０】
人体検知センサー８は赤外線を検知しているが、対象物の動きを赤外線検知の変化で捕らえている。従って、動かないものは赤外線を発射していても検知しないことになる。
【００３１】
本体１後方の天板３下部にはラジエントヒーター１０が配置してある。ラジエントヒーター１０によって発生するジュール熱で天板３を介して鍋１１を加熱することとなる。
【００３２】
図２において、人体検知センサー８の出力はカウント回路１２に入力する。カウント回路１２に人が不在である信号が入力するとカウント回路１２がカウントを開始する。記憶回路１３に記憶された時間を５分とすると、カウント回路１２でカウントした時間と記憶回路１３に設定されている５分とを比較回路１４で比較する。比較回路１４からはカウント回路１２の値が記憶回路１３の値より大きいと本体１前面に人が不在であると判断するし、５分より小さい場合には人が不在とは判断しない。次に、この結果を条件変更回路１５に入力する。条件変更回路１５には別に条件回路１６に記憶されている条件が入力される。前記比較回路１４から人が不在である信号である場合には、条件回路１６の条件を有効にし、比較回路１４から人が近傍にいる信号であれば条件回路１６からの信号を無効にして制御回路７から加熱コイル４への出力をそのまま印加する。
【００３３】
前記比較回路１４から人が不在である信号を条件変更回路１５に出力した場合には、条件回路１６の条件を加熱コイル４への出力の上限を最大火力の２分の１に設定する条件とし、条件変更回路１５は条件回路１６の信号を有効にして、制御回路７から加熱コイル４への出力の上限を最大火力の２分の１に設定して加熱コイル４への出力を変更する。
【００３４】
温度センサー１７は加熱コイル４の中央または中央近傍の天板３の下部温度を検知し、制御回路７がその温度により加熱コイル４への供給電力を制限する。例えば、加熱コイル４への電力供給を２ｋＷとした場合には温度センサー１７の検知温度が１５０℃をこいた場合には供給電力を１．５ｋＷに下げる。さらに検知温度が１８０℃を越える場合には１．２ｋＷに下げるといった具合に温度センサー１７の検知温度により加熱コイル４へ供給する電力を制限する。
【００３５】
人体検知センサー８の信号による加熱コイル４への電力供給制限との関連は、第一に温度センサー１７による加熱コイル４の制御が行われ、次に、人体検知センサー８の検知信号により、さらに本体１近傍に人が不在の場合には加熱コイル４への電力供給の上限を制限することとなる。
【００３６】
また、人が不在の場合の電力供給制限は、人体検知センサー８が人を検知した時点で解除され、当初の加熱コイル４への電力供給が行われることとなる。
【００３７】
以上のように構成された誘導加熱装置について、以下その動作、作用を説明する。
【００３８】
まず、鍋１１を加熱するときに制御回路７から加熱コイル４に電力を供給する。人は本体１の前か近傍に位置しているので、人体検知センサー８は人が居ることを検知する。カウント回路１２は人が居るのでカウントをすることなく、従って比較回路１４は記憶回路１３の数値が大きいことを判定して条件変更回路１５に人が居る信号を発信する。条件変更回路１５は比較回路１４からの人が居る信号に基づいて条件回路１６の条件を取り入れることなく、本来の火力を加熱コイル４に供給することを決定することとなる。
【００３９】
このとき、温度センサー１７は常に加熱コイル４上近傍の天板３下面の温度を検知し、制御回路７に温度信号を発信する。制御回路７は前記温度センサー１７の信号により加熱コイル４への電力供給を制御している。この電力供給に対して、前記条件変更回路１５から人が居るので、条件を変更しない信号が発信されるので、制御回路７はそのままか加熱コイル４に所定の電力を供給する。
【００４０】
次に、制御回路７が加熱コイル４に電力を供給している最中に人が本体１の前近傍から居なくなった場合には、人体検知センサー８が人の不在を検知して、カウント回路１２に信号を送る。カウント回路１２は人が不在の信号が発信されている間カウントアップする。やがて記憶回路１３の記憶している時間よりカウント回路１２の数値が大きくなる。比較回路１４は記憶回路１３の数値とカウント回路１２の数値を常に比較しているが、記憶回路１３の数値よりカウント回路１２の数値が大きくなったときに、条件変更回路１５に人が不在である信号を発信する。
【００４１】
このとき加熱コイル４は鍋１１を加熱しているので、その熱伝導により、天板３が加熱され、その温度を温度センサー１７が検知している。制御回路７は温度センサー１７の検知する温度により加熱コイル４への電力供給を制御しているが、ここに前記条件変更回路１５が比較回路１４から人が不在である信号を受け取り、加熱条件を変更することになる。加熱コイル４への電力供給条件の変更は、制御回路７が加熱コイル４へ供給する電力の上限が最大供給電力の２分の１である。制御回路７は加熱コイル４への供給電力の上限を最大供給電力の２分の１に設定してその範囲内で加熱コイル４に電力を供給する。
【００４２】
制御回路７がこの上限より大きな電力を加熱コイル４に供給していた場合には最大電力の２分の１を上限とする値まで供給電力を低下させる。供給している電力が最大供給電力の２分の１以下であれば、人が居なくても加熱コイル４に供給される電力は変化しない。
【００４３】
本体１の近傍に人が現れた場合には、人体検知センサー８が人を検知し、カウント回路１２がリセットされるので、比較回路１４はカウント回路１２の数値が記憶回路１３の数値より小さいと判断して、条件変更回路１５に人が居る信号を発信する。この信号を受信した条件変更回路１５は条件回路１６の条件を破棄して当初の人が居る条件を制御回路７に発信する。制御回路７は温度センサー１７の温度による加熱コイル４への電力供給制限のみの条件で加熱コイル４へ電力を供給することになる。
【００４４】
再び人が本体１近傍から居なくなると、人体検知センサー１７がカウント回路１２へ信号を送りカウントが始まる。記憶回路１３の設定時間より長い時間カウントされると、前述のように加熱コイル４に供給される電力の上限を設定することになる。そして再び加熱コイル４に供給される電力の上限が最大電力の２分の１に設定されることとなる。
【００４５】
ここで、加熱コイル４に供給される電力は前述のように、人が本体１近傍に居ない場合には最大電力の２分の１が加熱コイル４に供給できる最大電力であることから、供給している電力が、例えば保温している状態で５００Ｗ程度であれば、人が居なくなっても供給される電力は変化しない。湯沸かし等で２ｋＷの電力を加熱コイル４に供給していた場合には人が居なくなると５分後には加熱コイル４への供給電力は１ｋＷに制限されることとなる。
【００４６】
従って、調理中に本体１の近傍から人が居なくなった場合には、加熱している電力が大きい場合には空焚き等が発生すると火災の発生等の原因になるので、加熱コイル４への供給電力を制限して危険を回避するが、保温や煮込み等で加熱コイル４に数百Ｗ程度の電力を供給していた場合には、空焚き等の危険が少ないので、調理を続けることで調理が失敗することなく危険を回避することができる。
【００４７】
（実施の形態２）
図４は、本実施の形態２における誘導加熱装置のブロック図である。図５は、本発明の実施の形態２における誘導加熱装置の加熱コイルのフローチャートである。
【００４８】
図４において、天板３の本体１前面側で加熱コイル４の手前側端と天板３手前端との間に位置する天面操作スイッチ２０が左右方向に配置してある。右の加熱コイル４と天板３の手前側端との間には右の加熱コイル４を操作する右天面操作スイッチ２１が配置されていて、左の加熱コイル４を操作する左天面操作スイッチ２２は左の加熱コイル４と天板３の手前側端との間に配置されている。各天面操作スイッチ２１、２２は加熱コイル４への電力供給用に入り切りスイッチ２３を備えている。調理する場合は最初に入り切りスイッチ２３で電力を供給する。
【００４９】
右天面操作スイッチ２１と左天面操作スイッチ２２とで、操作スイッチを構成する天面操作スイッチ２０を形成している。
【００５０】
天面操作スイッチ２０の各スイッチの構成は厚さ４ｍｍの結晶化ガラス製の天板３の下面に電極２４を備えてこの電極２４と天板３を介して天面操作スイッチ２０に触れる人の指とでコンデンサを形成して、人の指が天面操作スイッチ２０に触れているが触れていないかを電気的に検知する構成にしている。人の指が天板３を介して接触または接近している場合は電気容量が大きく、人の指がない場合には電気容量は小さい。この電気容量の違いを電気的に検知する構成である。
【００５１】
電力供給の最初は加熱コイル４に１．０ｋＷを供給する。これは不意に加熱したとしても最大火力でなくより安全に加熱するためであり、さらに火力を調整するために火力設定の中央からスタートすることで火力アップも火力ダウンも均等に操作できるといった火力調整をしやすくするためである。
【００５２】
アップスイッチ２５とダウンスイッチ２６は一番操作することが多く、使用する人にもわかりやすい配置にするために、加熱コイル４の中心から天板３の手前側端へ下ろした垂線に対して左右対称に配置されている。また、入り切りスイッチ２３をはじめその他の天面操作スイッチ２０もアップスイッチ２５とダウンスイッチ２６を含めて横方向に一直線に配置されている。横方向に一列に配置することで、天面操作スイッチ２０のうちのどのスイッチを操作してもその他の天面操作スイッチ２０が見やすいといった特徴がある。
【００５３】
天面操作スイッチ２０は制限回路２７を介して制御回路２８に信号を送る。制限回路２７は比較回路１４からの信号を受信して前記天面操作スイッチ２０からの信号を制御回路２８に送る条件を決定する。つまり、人体検知センサー８の信号により、本体１の近傍に人がいる場合と人が不在の場合とで比較回路１４から制限回路２７に送る信号が異なる。この信号により制限回路２７は本体１近傍に人がいる場合には天面操作スイッチ２０の信号をそのまま制御回路２８に送る。つまり人が天面操作スイッチ２０を操作した信号をそのまま制御回路２８に送る。一方本体１近傍に人がいないと比較回路１４から制限回路２７に信号が入ると、制限回路２７は本体１近傍に人がいないのに天面操作スイッチ２０の信号が入ったのは誤動作であると判断して天面操作スイッチ２０の信号を制御回路２８へは送らない。
【００５４】
本体１の前面に人がいないと判断した比較回路１４の信号により、制限回路２７が天面操作スイッチ２０の信号を制限している状態で、人体検知センサー８が本体１近傍に人がいることを検知した場合には、比較回路１４から人がいる信号が制限回路２７に発信されるので、制限回路２７は以降に天面操作スイッチ２０が操作されたらその信号を制御回路２８に発信して天面操作スイッチ２０の信号で加熱コイル４への電力供給制御が可能になる。
【００５５】
人体検知センサー８、カウント回路１２、記憶回路１３、比較回路１４は実施の形態１と同じ機能である。
【００５６】
上記の内容も含めて、符号と名称が実施の形態１と同じものは実施の形態１と同じ機能であるので説明を省略する。
【００５７】
以上のように構成された誘導加熱装置において、以下その動作、作用を説明する。
【００５８】
まず、鍋１１を右の加熱コイル４上方の天板３上に置く。右天面操作スイッチ２１の入り切りスイッチ２３を操作して前記加熱コイル４に制御回路２８から電力を供給する。このとき、人体検知センサー８は操作する人が本体１前の近傍にいることを人体検知センサー８、カウント回路１２、記憶回路１３、比較回路１４の動作により、制限回路２７に人がいる信号を送る。人が右天面操作スイッチ２１の入り切りスイッチ２３を操作することで、制御回路２８は右天面操作スイッチ２１に近い側の右の加熱コイル４に１．０ｋＷの電力を供給する。調理により強い火力が必要であればアップスイッチ２５を操作して供給電力を大きくする。また加熱の火力を小さくする場合にはダウンスイッチ２６を操作して制御回路２８が加熱コイル４に供給する電力を小さく絞る。電力操作はアップスイッチ２５やダウンスイッチ２６を数回押すことでも調整できるが、約１秒押し続けることで連続してアップやダウンの操作をすることができる。
【００５９】
人が本体１前面に位置して天面操作スイッチ２０を操作する場合は、制御回路２８の動作は従来の誘導加熱調理器の動作と変わらない。一方、人体検知センサー８が本体１前面の近傍に人がいないと検知した場合には、比較回路１４から制限回路２７に人がいない信号を送り、制限回路２７は天面操作スイッチ２０からの信号を制御回路２８には送らないので、制御回路２８は現状の動作や停止の状態を維持することとなる。したがって、本体１前面の近傍に人がいない状態で、台所に小動物や猫等が進入して天面操作スイッチ２０に接触した場合でも、人体検知センサー８が本体１前面に人がいないと判断した場合には、天面操作スイッチ２０が操作されても制御回路２８には操作信号が送られることはなく、誤操作による火災や調理の失敗を防止することができる。
【００６０】
天板３に天面操作スイッチ２０を備えることで、加熱コイル４の近傍で操作することができることと、キッチン天板９に近い高さでの操作になり、毎日調理する姿勢が楽になったり調理しながら火力を操作できるといった使いやすさの一方で、人が不在のときに天板３に小動物が乗ったり触れたりして誤動作することがある。特に天板３を介して電気容量で操作を検知するタイプでは小動物が触れるだけで誤動作してしまう可能性があるが、人体検知センサー８で人を検知してその信号で誤操作を防止することができる。
【００６１】
上述以外の動作や操作は実施の形態１と同じ動作、作用である。
【００６２】
なお、実施の形態１では加熱コイル４への電力供給上限を最大電力の２分の１にしたが、３分の１のようにほかの数値にしてもよい。最大入力を制限して危険な加熱を回避できれば良い。
【００６３】
また、本体１の近傍に人がいない場合の制御を、実施の形態１では加熱コイル４へ供給する電力の上限を設定することとし、実施の形態２では天面操作スイッチ２０の入力を禁止することとしたが、このふたつの機能を同時に組み合わせても良い。
【００６４】
また、人体検知センサー８を赤外線検知機能で実現したが、ＣＣＤカメラ等で画像解析機能を応用して本体１前面の人の有無を検知しても良い。
【００６５】
さらに、人体検知センサー８は本体１の前面かまたは上面近傍に位置して本体１前面の人を検知することができれば良い。室内全体ではなく、本体１の約１ｍ程度の範囲内を検知することができれば良い。
【００６６】
なお、本発明の実施の形態１、２は加熱装置の一例として誘導加熱装置を用いたがこれに限定されず、他の加熱装置あってもよい。
【産業上の利用可能性】
【００６７】
以上のように、本発明にかかる加熱装置は、人体検知センサーを本体に備えて加熱コイルへの供給電力を制御する構成にすることで、人が本体近傍に不在の場合でも空焚き等の危険を回避する電力に抑制したり、小動物等による誤動作を回避することができ、比較的小電力での加熱時には火力を維持して調理を失敗から回避することができるので、誘導加熱調理器に限定されず他の加熱装置の用途にも適用できる。
【図面の簡単な説明】
【００６８】
【図１】本発明の実施の形態１における誘導加熱装置の正面図
【図２】本発明の実施の形態１における誘導加熱装置のブロック図
【図３】本発明の実施の形態１における誘導加熱装置のフローチャート
【図４】本発明の実施の形態２における誘導加熱装置のブロック図
【図５】本発明の実施の形態２における誘導加熱装置のフローチャート
【符号の説明】
【００６９】
１  本体
３  天板
４  加熱コイル
７  制御回路
８  人体検知センサー
１２  カウント回路
１３  記憶回路
１４  比較回路
１５  条件変更回路
１６  条件回路
１７  温度センサー
２０  天面操作スイッチ（操作スイッチ）
２１  右天面操作スイッチ
２２  左点面操作スイッチ
２７  制限回路
２８  制御回路
【図１】
2008300182.tif 000003
【図２】
2008300182.tif 000004
【図３】
2008300182.tif 000005
【図４】
2008300182.tif 000006
【図５】
2008300182.tif 000007